(57)【特許請求の範囲】
【請求項１】
記録と消去が可能な被記録媒体を内蔵する媒体内蔵部と、
前記被記録媒体に対して記録を実行する記録手段と、
前記被記録媒体を被記録媒体搬送経路の上流側方向及び下流側方向に送る媒体送り手段と、
前記被記録媒体に記録された記録情報を消去する消去手段と、を備え、
前記被記録媒体がロール状に巻かれて成るロール体が前記媒体内蔵部に内蔵され、前記ロール体から前記被記録媒体が解かれて前記記録手段へ送り出される構成を有し、
前記被記録媒体に対し、記録位置ずれ補正用パターンを形成する記録モードを備え、
前記記録位置ずれ補正用パターンに基づきユーザからの記録位置ずれ補正用データの入力を受け付ける入力受付手段と、
前記記録位置ずれ補正用データの入力をユーザに促すメッセージを表示する表示手段と、を備え、
前記消去手段は、前記媒体送り手段を構成する、前記記録手段の下流側に設けられた被記録媒体排出手段の更に下流側において、被記録媒体排出経路から退避する退避位置と、前記被記録媒体排出手段から排出される前記被記録媒体を内部に導く使用位置と、を変位可能なユニット体の内部に、前記被記録媒体に記録された記録情報を消去する消去ローラを備えて構成され、
前記媒体送り手段により、前記媒体内蔵部から前記記録手段へ向けた前記被記録媒体の送り出しと、
前記被記録媒体において前記記録手段により記録の行われた記録部分の、前記ユニット体内部への移動と、
前記媒体内蔵部から送り出された前記被記録媒体の、前記媒体内蔵部への収納と、が実行可能であり、
前記ユニット体の上面は、前記ユニット体の内部が視認可能なクリアカバーで形成され、
前記ユニット体の内部に導かれた、前記被記録媒体に記録された記録部分が、前記ユニット体の外側から前記クリアカバーを介して視認可能に構成されている、
ことを特徴とする記録装置。
【発明の詳細な説明】
【技術分野】
【０００１】
本発明は、ファクシミリやプリンタ等に代表される記録装置に関し、特に記録と消去が可能な被記録媒体を用いて記録を行う記録装置に関する。
【背景技術】
【０００２】
例えば記録装置の一例としてのインクジェットプリンタは、専用光沢紙を用いて銀塩写真に劣らない極めて高画質な印刷が可能であり、近年のデジタルカメラの普及と相俟ってインクジェットプリンタを用いた写真出力が広く利用される様になっている。
【０００３】
ここで、専用光沢紙は普通紙に比して高価である為、専用光沢紙を用いた印刷の失敗を嫌って、ユーザは専用光沢紙を用いた本番印刷の前に、専用光沢紙ではない規格外の用紙（そのプリンタに対して推奨されない用紙）を用い、出力される画像が期待通りのものであるか否かを確かめるべく試し印刷を行うことがある。しかしながら規格外の用紙を用いることで、給紙した際にジャムとなり易く、これが原因で装置の故障を招くという問題があった。
【０００４】
この様な規格外の用紙を用いた試し印刷は、装置の故障を招くことのほか、紙資源の無駄をも招くこととなり、様々な面で好ましくない結果を招くことになる。この様な観点に立ち、試し印刷を行う際には、それ専用の被記録媒体として記録と消去のいずれもが可能な、即ち繰り返し利用可能な被記録媒体を用いることが好ましい。この様に記録と消去が可能な被記録媒体、および当該被記録媒体を利用して記録を行う記録装置は従来から知られており、その一例が特許文献１〜３に示されている。
【特許文献１】特開平６−８５８５号公報
【特許文献２】特開２００２−１７２８４４号公報
【特許文献３】特開２００３−６３０５４号公報
【発明の開示】
【発明が解決しようとする課題】
【０００５】
しかしながら記録と消去が可能な被記録媒体であっても、そのプリンタの装置構成に対して最も適切なサイズ、剛性、等の性質を備えた被記録媒体が用いられるとは限らず、必ずしも良好な試し印刷が行えるとは限らない。また、プリンタから排出され、再び給紙（セット）される過程を繰り返す中で、塵埃、手垢などの汚れが記録面に付着し、良好な印刷結果を得られない虞もある。
【０００６】
そこで本発明はこのような状況に鑑みなされたものであり、その目的は、記録と消去が可能な被記録媒体を用いた試し印刷を最適な状態で実行可能な記録装置を提供することにある。
【課題を解決するための手段】
【０００７】
上記課題を解決するために、本発明の第１の態様に係る記録装置は、記録と消去が可能な被記録媒体を内蔵する媒体内蔵部と、前記被記録媒体に対して記録を実行する記録手段と、前記被記録媒体を往復動可能な媒体送り手段と、を備え、前記媒体送り手段により、前記媒体内蔵部から前記記録手段へ向けた前記被記録媒体の送り出しと、前記被記録媒体において前記記録手段により記録の行われた記録部分の、装置外部から視認可能な領域への移動と、前記媒体内蔵部から送り出された前記被記録媒体の、前記媒体内蔵部への収納と、が実行可能であることを特徴とする。
【０００８】
本態様によれば、記録と消去が可能な被記録媒体は記録装置の媒体内蔵部に内蔵されており、この媒体内蔵部から被記録媒体が送り出され、そして記録が実行された後は再び媒体内蔵部へと被記録媒体を戻すことが可能な構成であるので、装置構成に対して最も適切なサイズ、剛性、等の性質を備えた被記録媒体を用いた試し記録を、常に実行することができる。従って、試し記録に際してジャムの発生を防止でき、また被記録媒体が装置外部に排出され、再びセットされる過程を繰り返すことが無い為、塵埃、手垢などの汚れが記録面に付着することも防止できる。
【０００９】
本発明の第２の態様に係る記録装置は、第１の態様に係る記録装置において、前記被記録媒体に記録された記録情報を消去する消去手段を備えていることを特徴とする。本態様によれば、前記被記録媒体に記録された記録情報を消去する消去手段を備えているので、ユーザが手作業により記録内容を消去する必要がなく、ユーザフレンドリとなる。
【００１０】
本発明の第３の態様に係る記録装置は、第１のまたは第２の態様に係る記録装置において、前記被記録媒体がロール状に巻かれて成るロール体が前記媒体内蔵部に内蔵され、前記ロール体から前記被記録媒体が解かれて前記記録手段へ送り出されることを特徴とする。
【００１１】
本態様によれば、前記被記録媒体がロール状に巻かれて成るロール体が前記媒体内蔵部に内蔵され、このロール体から被記録媒体が解かれて前記記録手段へ送り出される構成を有しているので、媒体内蔵部の大型化を防止でき、ひいては記録装置の大型化を防止することができる。
【００１２】
本発明の第４の態様に係る記録装置は、第１から第３の態様のいずれかに係る記録装置において、前記被記録媒体に対し、記録位置ずれ補正用パターンを形成する記録モードを備えていることを特徴とする。
【００１３】
本態様によれば、前記被記録媒体に対し、記録位置ずれ補正用パターンを形成する記録モードを備えているので、前記記録位置ずれ補正用パターンを用い、各種記録位置ずれを補正することができる。尚、ここでの記録位置ずれとは、所望する最適な記録結果が得られなくなる様な記録位置ずれの全てを含む意味であり、例えば記録ヘッドを往復動させることにより記録を行う双方向記録時における往方向記録と復方向記録の記録位置ずれや、記録ヘッドの取付状態（傾きなど）に由来する記録位置ずれ、被記録媒体の位置ずれに伴う記録位置ずれ（余白の左右差や、四辺フチ無し記録を行う際の打ち捨て領域幅の左右差）、などが挙げられる。
【００１４】
本発明の第５の態様に係る記録装置は、第１から第３の態様のいずれかに係る記録装置において、前記記録手段はノズルから記録剤を吐出することにより記録を行うものであって、前記被記録媒体に対し、該ノズル詰まりを確認するためのノズル詰まりチェックパターンを形成する記録モードを備えていることを特徴とする。
【００１５】
本態様によれば、ノズル詰まりを確認するためのノズル詰まりチェックパターンを形成する記録モードを備えているので、ノズル詰まりチェックパターンを用いてノズル詰まりを確認し、その結果に基づき必要に応じてノズル詰まりの解消措置を行うことで、所望する適切な記録結果を得ることができる。
【００１６】
本発明の第６の態様に係る記録装置は、第１から第３の態様のいずれかに係る記録装置において、ユーザから記録手段で記録を実行する画像データの選択を受け付ける記録画像データ受付手段をさらに有し、記録画像データ受付手段によって受け付けられた画像を、前記被記録媒体に形成するモードを備えることを特徴とする。
【００１７】
本態様によれば、実際に記録を実行する内容を記録と消去が可能な被記録媒体を用いて確認することができるので、実際の仕上がりイメージを予め確認することで、本番記録の失敗を防止して本番記録用の被記録媒体を無駄に消費することを防止できる。
【００１８】
本発明の第７の態様に係る記録装置は、第４の態様に係る記録装置において、前記記録位置ずれ補正用パターンに基づきユーザからの記録位置ずれ補正用データの入力を受け付ける入力受付手段と、前記記録位置ずれ補正用データの入力をユーザに促すメッセージを表示する表示手段と、を備えたことを特徴とする。本態様によれば、上記入力受付手段と表示手段により、記録位置ずれ補正用データを記録装置に容易に入力することができる。
【発明を実施するための最良の形態】
【００１９】
以下、図１乃至図５を参照しながら本発明の実施形態について説明する。図１は本発明の第１実施形態に係るプリンタ１の用紙搬送経路の側断面概略図、図２は給送装置２の斜視図、図３は制御部５０を中心とした制御系のブロック図である。また図４は本発明の第２実施形態に係るプリンタ１’の用紙搬送経路の側断面概略図、図５（Ａ）、（Ｂ）はプリンタ１’の装置本体を前方側から視た斜視図である。
【００２０】
図１においてプリンタ１は装置後部に給送装置２を備え、この給送装置２から下流側へと被記録媒体の一例としての単票紙（不図示。以下同様。）を１枚ずつ給送する。また給送装置２は、記録と消去が可能な被記録媒体としてのテスト記録用媒体Ｐが巻かれて成るロールＲを内蔵しており、このロールＲからテスト記録用媒体Ｐを下流側へ供給する。
【００２１】
より詳しくは、給送装置２は複数枚の単票紙を傾斜姿勢に支持可能なホッパ１２を備えている。ホッパ１２は、上部の揺動支点１２ａを中心に揺動可能に設けられ、揺動することにより、ホッパ１２上に支持された単票紙を給送ローラ１１Ａ、１１Ｂ（図２）に圧接させる姿勢（上昇姿勢）と、給送ローラ１１Ａ、１１Ｂから離間させる姿勢（下降姿勢）と、を切り換え可能となっている。尚、ホッパ１２の姿勢切り換えは、ホッパ１２を給送ローラ１１Ａ、１１Ｂに向けて付勢するホッパばね１３と、このホッパばね１３の付勢力に抗してホッパ１２を押し下げるカム機構（不図示）と、により行われる。
【００２２】
給送ローラ１１Ａ、１１Ｂは、図示しないモータにより回転駆動される回転軸９を共通の回転軸としており、回転軸９において回転軸線方向に所定の間隔を空けて設けられている。給送ローラ１１Ａ、１１Ｂは、いずれも側面視略Ｄ形の形状を成しており、外周面は高摩擦材（例えば、ゴム）により形成されている。
【００２３】
給送ローラ１１Ａの近傍にはガイドローラ１４ａ、１４ｂが設けられており（図２において図示省略）、これらガイドローラ１４ａ、１４ｂにより、給送装置２から送り出された単票紙やテスト記録用媒体Ｐの、給送ローラ１１Ａ、１１Ｂへの直接の接触が防止され、通紙負荷が軽減される。
【００２４】
ホッパ１２の背後には媒体内蔵部４が設けられ、この媒体内蔵部４には媒体回転用モータ５Ａ（図２）と、ロールＲと、消去ローラ３０と、が設けられている。尚、これら媒体内蔵部４の構成要素については後に詳述する。
【００２５】
給送装置２の下流側には、ＰＦモータ６３（図３）によって回転駆動される搬送駆動ローラ１８と、該搬送駆動ローラ１８に圧接して従動回転する搬送従動ローラ１９とを備えて構成された搬送手段５Ｂが設けられている。搬送駆動ローラ１８は用紙幅方向に延びる軸体によって形成され、搬送従動ローラ１９は紙案内上１６に自由回転可能に軸支される。紙案内上１６は揺動支点１６ａを中心に揺動可能に設けられるとともに、図示しない付勢手段によって搬送従動ローラ１９が搬送駆動ローラ１８に圧接する方向に向けて付勢されている。
【００２６】
搬送手段５Ｂの下流側には、記録ヘッド２３（記録手段３）と紙案内前２０とが対向配置されており、紙案内前２０によって単票紙或いはテスト記録用媒体Ｐと、記録ヘッド２３のヘッド面との距離が規定される。記録ヘッド２３は、例えばブラック（Ｋ）、シアン（Ｃ）、マゼンタ（Ｍ）、イエロー（Ｙ）、の４色のインクが収容されたインクカートリッジ２４を搭載可能なキャリッジ２１の下部に設けられている。キャリッジ２１は、キャリッジガイド軸２２にガイドされながら、ＣＲモータ６２（図３）によって主走査方向（図１の紙面の表裏方向）に往復動する。
【００２７】
そしてキャリッジ２１が主走査方向に往復動しながら記録ヘッド２３が駆動制御され、記録ヘッド２３から各色のインクが吐出されることにより、単票紙やテスト記録用媒体Ｐに記録が行われる。尚、記録ヘッド２３のヘッド面と紙案内前２０との距離（ギャップ）は、図示しないギャップ調整手段により段階的に調整可能となっている。
【００２８】
記録ヘッド２３によって記録の行われた単票紙或いはテスト記録用媒体Ｐは、回動駆動される排出駆動ローラ２５と、排出駆動ローラ２５に接して従動回動する排出従動ローラ２６とを備えた排出手段５Ｃによって、装置前方に設けられた図示しないスタッカへ向けて排出される。
【００２９】
尚、プリンタ１は、単票紙の四辺に余白無く記録を行う所謂フチ無し記録を実行可能に構成されており、単票紙の後端にフチ無し記録を実行する際には、搬送手段５Ｂから後端が外れた単票紙は排出手段５Ｃによって精密送りされるようになっている。
【００３０】
続いて図３を参照しながら、プリンタ１の各種制御を行う、制御部５０について説明する。制御部５０は、プリンタ１に記録データやその他の情報を送信するホスト・コンピュータ１５０との間でデータの送受信が可能に構成され、ホスト・コンピュータ１５０とのインタフェースであるＩＦ５１と、ＡＳＩＣ５２、ＲＡＭ５３、ＰＲＯＭ５４及びＥＥＰＲＯＭ５５、ＣＰＵ５６、タイマＩＣ５７、ＤＣユニット５８、ヘッドドライバ５９、キャリッジ（ＣＲ）モータドライバ６０、紙送り（ＰＦ）モータドライバ６１、媒体回転用モータドライバ５３、を備えている。
【００３１】
ＣＰＵ５６はプリンタ１の制御プログラムを実行する為の演算処理やその他必要な演算処理を行い、タイマＩＣ５７は、ＣＰＵ５６に対して各種処理に必要な周期的な割り込み信号を発生させる。ＡＳＩＣ５２は、ホスト・コンピュータ１５０からＩＦ５１を介して送信される記録データに基づいて記録解像度や記録ヘッド２３の駆動波形等を制御するものである。ＲＡＭ５３は、ＡＳＩＣ５２およびＣＰＵ５６の作業領域や他のデータの１次格納領域として用いられ、ＰＲＯＭ５４およびＥＥＰＲＯＭ５５には、プリンタ１を制御する為に必要な各種制御プログラム（ファームウェア）および処理に必要なデータ等が格納されている。
【００３２】
ＤＣユニット５８は、各モータの速度制御を行う為の制御回路であり、図示を省略するＰＩＤ制御部、加速制御部、ＰＷＭ制御回路等を有している。ＤＣユニット５８は、ＣＰＵ５６から送られてくる制御命令や、図示を省略する各種センサからの出力信号に基づいて各モータの制御を行う為の各種演算を行い、各モータドライバへ信号を送出する。
【００３３】
ヘッドドライバ５９は、ＤＣユニット５８の制御の下、ホスト・コンピュータ１５０から送信された記録データに従って記録ヘッド２３を駆動制御する。ＣＲモータドライバ６０は、ＤＣユニット５８の制御の下、ＣＲモータ６２（即ちキャリッジ２１）を駆動制御する。ＰＦモータドライバ６１は、ＤＣユニット５８の制御の下、ＰＦモータ６３（即ち搬送駆動ローラ１８及び排出駆動ローラ２５）を駆動制御する。
【００３４】
尚、搬送駆動ローラ１８の回転量、回転方向、回転速度は、図示を省略するロータリエンコーダを介して検出され、またキャリッジ２１の移動量、移動方向、移動速度は、図示を省略するリニアエンコーダを介して検出されるよう構成されている。
【００３５】
次にプリンタ１には印刷設定情報やステータスなど、各種情報を表示するユーザインタフェースとしての表示部８と、各種印刷設定等を行う為の入力手段としての操作部７とが設けられており、制御部５０は操作部７からの入力信号をもとに各種制御を行い、また表示部８に向けて情報を表示する為の信号を送出する。以上がプリンタ１の大略構成である。
【００３６】
＜＜第１実施形態＞＞  
続いて本発明の第１実施形態の特徴的構成について説明する。上述したようにホッパ１２の背後には媒体内蔵部４が設けられ、この媒体内蔵部４には媒体回転用モータ５Ａと、ロールＲと、消去ローラ３０と、が設けられている。
【００３７】
消去ローラ３０はロールＲ対し進退可能に設けられ、また図示しない付勢手段によりロールＲに向けて付勢された状態に設けられている。ロールＲと消去ローラ３０は、図示しない歯車機構を介して媒体回転用モータ５Ａにより回転駆動されるよう構成されており、またその回転方向が、図１に示すようにロールＲと消去ローラ３０がいずれも同じ回転方向となる様に構成されている。
【００３８】
ここで、テスト記録用媒体Ｐはインクを吸収しない非インク吸収層を表面に備え、また消去ローラ３０はインクを吸収するインク吸収層を外周面に備えており、この様な構成により消去ローラ３０の外周面がロールＲの外周面を擦ることにより、テスト記録用媒体Ｐの記録面に形成された記録内容が消去されるようになっている。
【００３９】
即ち、消去ローラ３０が、テスト記録用媒体Ｐに記録された記録情報を消去する消去手段を構成する。尚、テスト記録用媒体Ｐとしては記録と消去が可能なものであればどのようなものであっても良く、また前記消去手段としても、テスト記録用媒体Ｐに記録された記録情報を消去可能なものであればどのようなものでも良い。
【００４０】
この様なテスト記録用媒体Ｐは、例えば光沢専用紙を用いた本番印刷の前に行うテスト記録に用いることができ、或いは記録位置ずれを補正する為の補正用パターンの記録に用いることができる。
【００４１】
次に、ホッパ１２には図２にも示すように用紙幅方向（図１の紙面表裏方向）に延びるスリット１２ｂが形成されており、このスリット１２ｂを介し、媒体回転用モータ５Ａにより回転するロールＲから解かれたテスト記録用媒体Ｐが下流側へと送り出される。
【００４２】
尚、給送ローラ１１Ａ、１１Ｂと搬送手段５Ｂとの間には、用紙先端或いは後端の通過を検出するセンサ（図示せず）が設けられており、媒体回転用モータ５Ａの逆転駆動（図１の時計回り方向）によりテスト記録用媒体Ｐが巻き取られる際には、上記センサによりテスト記録用媒体Ｐ先端の通過が検出された後、予め定められた回転量だけ媒体回転用モータ５Ａが逆転駆動されることにより、テスト記録用媒体Ｐ先端がスリット１２ｂ内に残存する様に、或いはスリット１２ｂから僅かに外側に出た状態となる様に、制御される。これにより、次に媒体回転用モータ５Ａが正転駆動され、テスト記録用媒体Ｐが下流側へと送り出される際には、テスト記録用媒体Ｐ先端がスリット１２ｂから正しく送出される。
【００４３】
次に、テスト記録用媒体Ｐは、単票紙給紙時とは異なり、給送ローラ１１Ｂのみにより給送されるよう幅方向における位置が定められており、媒体回転用モータ５Ａによりテスト記録用媒体Ｐの先端が給送ローラ１１Ｂのやや下流側まで送られると、ホッパ１２が上昇し、以降は給送ローラ１１Ｂの回転作用も加わってテスト記録用媒体Ｐが記録可能位置へと送られる。
【００４４】
そして記録ヘッド２３により記録が行われた後は、媒体回転用モータ５Ａ、搬送手段５Ｂ、排出手段５Ｃ、のこれらが協働してテスト記録用媒体Ｐが下流側へ送られ、記録の行われた記録部分が排出手段５Ｃより下流側、即ち装置外部から視認可能な領域へと移動される。尚、以上のように媒体回転用モータ５Ａ、給送ローラ１１Ｂ、搬送手段５Ｂ、排出手段５Ｃ、のこれらは、テスト記録用媒体Ｐを上流側及び下流側に送る媒体送り手段を構成する。
【００４５】
なお、記録ヘッド２３により、ユーザによって選択された画像データ、記録ヘッド２３のインク吐出ノズルが目詰まりを起こしていないかチェックするパターン、記録位置ずれ補正用パターンの出力結果、等がテスト記録用媒体Ｐに記録される。
【００４６】
そして記録の行われた記録部分が装置外部から視認可能な領域に移動されると、ユーザが記録結果を目視できるので、これにより専用紙を用いた本番印刷前のテスト記録結果を確認でき、或いは記録位置ずれ補正用パターンの出力結果を確認することができる。また、記録ヘッド２３のインク吐出ノズルが目詰まりを起こしていないかチェックするパターンの出力結果を確認することもできる。
【００４７】
尚、ここでの記録位置ずれとは、例えば記録ヘッド２３を往復動させることにより記録を行う双方向記録時における往方向記録と復方向記録の記録位置ずれや、記録ヘッド２３の取付状態（傾きなど）に由来する記録位置ずれ、など種々の記録位置ずれが挙げられる。
【００４８】
記録の行なわれた部分がユーザによって視認可能な領域に移動されると、出力結果を問い合わせる画面を表示部８に表示する。また、ノズルクリーニング処理の指示や記録位置ズレの補正データの入力を促すような画面を表示部８に表示させるようにしてもよい。
【００４９】
その後、ユーザから操作部７によって所定の指示・データが入力されるとノズルクリーニング処理や記録位置調整処理が実行される。ノズルクリーニング処理とは不図示のキャッピング部材を記録ヘッドに対面させて内部空間を形成し、不図示のポンプで吸引することでヘッドノズルの異物を除去し目詰まりを解消する処理である。
【００５０】
そしてその後、ユーザが操作部７を操作することにより、或いはホストコンピュータ１５０において動作するアプリケーションプログラムを操作することにより、制御部５０は、媒体回転用モータ５Ａ、搬送手段５Ｂ、排出手段５Ｃ、のこれらが協働してテスト記録用媒体Ｐを上流側へ戻し、媒体格納部４のロールＲに巻き取られて格納されるよう各制御対象を制御する。
【００５１】
以上のように本実施形態によれば、記録と消去が可能なテスト記録用媒体Ｐはプリンタ１の媒体内蔵部４に内蔵されており、この媒体内蔵部４からテスト記録用媒体Ｐが送り出され、そして記録が実行された後は再び媒体内蔵部４へと戻される。従ってプリンタ１の装置構成に対して最も適切なサイズ、剛性、等の性質を備えたテスト記録用媒体Ｐを媒体内蔵部４に内蔵することで、テスト記録に際して常にジャムの発生を防止できる。またテスト記録用媒体Ｐが装置外部に排出され、再びセットされる過程を繰り返すことが無い為、塵埃、手垢などの汚れがテスト記録用媒体Ｐの記録面に付着することも防止できる。
【００５２】
＜＜第２実施形態＞＞  
続いて図４及び図５を参照しながら第２実施形態について説明する。尚、図４及び図５において既に説明した第１実施形態と同じ構成については同一符号を付してあり、以下ではその説明は省略する。
【００５３】
第２実施形態に係るプリンタ１’は、テスト記録用媒体Ｐに記録された記録情報を消去する消去手段が、排出駆動ローラ２５の下流側に設けられている。図４及び図５において符号３１は上記消去手段を構成する消去ユニットを示しており、この消去ユニット３１は、ユニット本体３１ａに、フィードローラ３３と消去ローラ３４とを備えている。
【００５４】
消去ローラ３４は図示しない付勢手段によりフィードローラ３３に向けて付勢された状態に設けられており、フィードローラ３３と消去ローラ３４とは、ともに図示を省略するモータ及び歯車機構により、いずれも同じ回転方向に駆動されるよう構成されている。消去ローラ３４はインクを吸収するインク吸収層を外周面に備えており、消去ローラ３４の外周面がフィードローラ３３との間でテスト記録用媒体Ｐの記録面を擦ることにより、当該記録面に形成された記録内容が消去されるようになっている。
【００５５】
尚、消去ユニット３１の両側にはユニットガイド３５、３５が設けられており、これにより消去ユニット３１は、退避位置（図５（Ａ））と使用位置（図５（Ｂ））との間を変位可能に設けられている。即ち単票紙を用いた記録実行時には、ユーザ操作により消去ユニット３１は図５（Ａ）に示すように排出駆動ローラ２５の下方に退避した位置に置かれ、これにより単票紙の用紙排出経路が開放される。
【００５６】
そしてテスト記録用媒体Ｐを用いた記録実行時には、ユーザ操作により図５（Ｂ）に示すように使用位置に置かれ、テスト記録用媒体Ｐが消去ユニット３１の内部に導かれる。尚、消去ユニット３１が使用位置に置かれると、消去ユニット３１に設けられた歯車（不図示）と、装置本体側に設けられた歯車とが噛合し、フィードローラ３３と消去ローラ３４とが回転駆動可能な状態となるように構成されている。
【００５７】
消去ユニット３１の上面は透明なクリアカバー３２により構成されており、これにより記録の行われた記録部分がクリアカバー３２の下部へと送られると、前記記録部分が装置外部から視認可能となる。
【００５８】
そしてユーザがクリアカバー３２内の記録内容を確認後、操作部７を操作すると、或いはホストコンピュータ１５０において動作するアプリケーションプログラムを操作すると、制御部５０は、テスト記録用媒体Ｐが媒体格納部４のロールＲに巻き取られて格納されるよう各制御対象を制御する。
【００５９】
以上のように本実施形態によれば、既に説明した第１実施形態と同様に、プリンタ１の装置構成に対して最も適切なサイズ、剛性、等の性質を備えたテスト記録用媒体Ｐを媒体内蔵部４に内蔵することで、テスト記録に際して常にジャムの発生を防止できる。またテスト記録用媒体Ｐが装置外部に排出され、再びセットされる過程を繰り返すことが無い為、塵埃、手垢などの汚れがテスト記録用媒体Ｐの記録面に付着することも防止できる。特に本実施形態によれば、テスト記録用媒体Ｐはその記録面が直接外部に露呈されることが無いので、より確実に記録面が保護される。
【図面の簡単な説明】
【００６０】
【図１】本発明の第１実施形態に係るプリンタの用紙搬送経路の側断面概略図。
【図２】給送装置の斜視図。
【図３】制御部を中心とした制御系のブロック図。
【図４】本発明の第２実施形態に係るプリンタの用紙搬送経路の側断面概略図。
【図５】（Ａ）、（Ｂ）本発明の第２実施形態に係るプリンタの装置本体の斜視図。
【符号の説明】
【００６１】
１、１’  インクジェットプリンタ、２  給送装置、３  記録手段、４  媒体内蔵部、５Ａ〜５Ｃ  媒体送り手段、６  消去手段、７  操作部、８  表示部、
９  給送ローラ軸、１０  フレーム、１１Ａ、１１Ｂ  給送ローラ、１２  ホッパ、１３  ホッパばね、１４ａ、１４ｂ  ガイドローラ、１５  紙案内後、１６  ホルダ部材、１８  搬送駆動ローラ、１９  搬送従動ローラ、２０  紙案内前、２１  キャリッジ、２２  キャリッジガイド軸、２３  記録ヘッド、２４  インクカートリッジ、２５  排出駆動ローラ、２６  排出従動ローラ、３０  消去ローラ、３１  消去ユニット、３２  クリアカバー、３３  フィードローラ、３４  消去ローラ、３５  ユニットガイド、
５０  制御手段、５１  ＩＦ、５２  ＡＳＩＣ、５３  ＲＡＭ、５４  ＲＯＭ、５５  ＥＥＰＲＯＭ、５６  ＣＰＵ、５７  タイマＩＣ、５８  ＤＣユニット、５９  ヘッドドライバ、６０  キャリッジ（ＣＲ）モータドライバ、６１  紙送り（ＰＦ）モータドライバ、
６２  キャリッジ（ＣＲ）モータ、６３  紙送り（ＰＦ）モータ、６４  媒体回転用モータドライバ、６５  媒体回転用モータ、
Ｐ  テスト記録用媒体、Ｒ  ロール、
【図１】
0004678412.tif 000002
【図２】
0004678412.tif 000003
【図３】
0004678412.tif 000004
【図４】
0004678412.tif 000005
【図５】
0004678412.tif 000006